(57)【要約】【課題】排気圧損失が少なくかつ本体を大きくすることのない電気掃除機を提供するのを目的とする。【解決手段】ローター（図示せず）とコアー（図示せず）を内蔵するモーターブラケット１７にＤカット部２０’を設け、前記Ｄカット部２０’に電気部品２４を設けた電気掃除機で、電気部品２４を取り付けても、本体１６を大きくせずに出来るものである。そのため、電気掃除機を小型化する構成に、特に有用で、排気圧損失が少なくかつ本体１６を大きくすることのない電気掃除機を提供できる。【選択図】図３
2004041762.tif 000002
【特許請求の範囲】
【請求項１】
ローターとコアーを内蔵するモーターブラケットにＤカット部を設け、前記Ｄカット部に電気部品を設けた電気掃除機。
【請求項２】
モーターブラケットの外周を難燃性部材で覆った請求項１記載の電気掃除機。
【請求項３】
モーターブラケットを樹脂成型品で形成し、前記モーターブラケットより電気部品を取付けるリブを設けた請求項１または２記載の電気掃除機。
【発明の詳細な説明】
【技術分野】
【０００１】
　本発明は、小型の電気掃除機に関するものである。
【背景技術】
【０００２】
　従来の小型電気掃除機は、以下に示されたものが一般的であった。以下図面にしたがって説明する。
【０００３】
　図６において、１は電気掃除機本体で、掃除機本体の上部側には伸縮自在なハンドルパイプ４を介して連結されたハンドル２を設け、また掃除機本体の上部前面側にはハンドルパイプ４を伸縮するための尾錠３を設けている。５は掃除機本体１の下部に取り付けた床ノズルである。
【０００４】
　図７において、１は掃除機本体、２はハンドル、４はハンドルパイプである。６はモーターファンで、７はモーターブラケットであり、外周にウレタンフォーム等から成る防音板８が取り付けられており、サポートゴム前９及びサポートゴム後１０で掃除機本体１内に支持されている。１１はコード巻き取り装置で、１２は集塵袋、１３は吸気口で、床ノズル５に連結されている。
【０００５】
　図８において、１は掃除機本体、４はハンドルパイプ、７はモーターブラケット、８は防音板で、１４は排気口、１５は排気の流れを示す（例えば、特許文献１参照）。
【特許文献１】特開平３−２２２９２６号公報
【発明の開示】
【発明が解決しようとする課題】
【０００６】
　このような構成では、モーターブラケット７からの排気１５の通路を大きく取ることが排気圧損を少なくして性能を向上させることが出来るが、その分本体が大きくなって重く使い勝手が悪くなっていた。
【０００７】
　本発明は上記課題に鑑み、排気圧損失が少なくかつ本体を大きくすることのない電気掃除機を提供するのを目的とする。
【課題を解決するための手段】
【０００８】
　上記課題を解決するために本発明は、ローターとコアーを内蔵するモーターブラケットにＤカット部を設け、前記Ｄカット部に電気部品を設けたもので、本体を大きくすることなく排気圧損失を小さくした電気掃除機を提供できる。
【発明の効果】
【０００９】
　本発明によれば、排気圧損失が少なくかつ本体を大きくすることのない電気掃除機を提供できる。
【発明を実施するための最良の形態】
【００１０】
　第１の発明は、ローターとコアーを内蔵するモーターブラケットにＤカット部を設け、前記Ｄカット部に電気部品を設けた電気掃除機で、電気部品を取り付けても本体を大きくせずに出来るものである。
【００１１】
　第２の発明は、モーターブラケットの外周を難燃性部材で覆ったもので、電気部品が何等かの故障で発火しても外部への類焼が止められるものである。
【００１２】
　第３の発明は、モーターブラケットを樹脂成型品で形成し、前記モーターブラケットより電気部品を取付けるリブを設けたもので、ビス等の別部品を使用せず安価に取り付けることができる。
【００１３】
　以下、本発明の一実施の形態を添付図面にもとづいて説明する。
【００１４】
　（実施の形態１）
　図１において、１６は掃除機本体（以下、本体と称す）、その内部にはモーターブラケット１７を配している。モーターブラッケト１７内にはコアー１８、ローター１９を設け、前記コアー１８に相対するモーターブラケット１７にＤカット部２０が形成されている。２１は排気口である。
【００１５】
　上記構成による作用は以下の通りである。
【００１６】
　本体１６の排気口２１に相対するモーターブラケット１７の外周の一部にＤカット部２０を設けたもので、本体１６の排気口２１との間に排気通路が大きく取れるもので、本体１６を大きくせずに排気通路を十分確保することができ性能を向上させることができる。
【００１７】
　次に、図２において、１６は本体で、１７はモーターブラケットで、２１は排気口で、２２はモーターブラケット１７の外周に設けられたウレタンフォーム等から成る防音板２３をＤカット部２０方向へ押しやるリブである。
【００１８】
　上記構成により、防音板２３で静音化するとともに排気通路を確保することで本体を小型のまま性能を向上することが出来る。
【００１９】
　次に、図３、図４、図５において、１６は本体、１７はモーターブラケット、２０はＤカツト部、２０’は前記Ｄカット部２０に相対する面に設けられたＤカット部であり、２１は排気口で、２３は難燃性のウレタンフォーム等から成る防音板である。２４はモーターが過負荷になって温度が異常に高温になった時、モーターへの電源供給をカットするためのサーモプロテクターであり、２５は前記サーモプロテクターを保持するための支持リブであり、抜け止めリブ２６と共に樹脂成型品から成るモーターブラケット１７より一体に形成されている。２６’はサーモプロテクター２４をセットしやすくするため、抜け止めリブ２６をたわむ様にした切り欠きである。２７はリード線でモーターの電源ラインと接続されている。
【００２０】
　Ｄカット部２０をモーターブラケット１７の相対する面に設け、一方にサーモプロテクター２４等の電気部品を設けたもので、電気部品を取り付けても本体１６を大きくせずに出来るものである。
【００２１】
　また、図３において、モーターブラケット１７にサーモプロテクター２４等の電気部品を取付けその外周を難燃性のウレタンフォームで覆った物であり、電気部品が何等かの故障で発火しても外部への類焼が止められる物である。
【００２２】
　また、図４において、モーターブラケット１７を樹脂成型品で形成し、前記モータブラケット１７よりサーモプロテクター２４等の電気部品を一体に取付けるリブ２５を設けた物であり、ビス等の別部品を使用せず安価に取り付けることができる。
【産業上の利用可能性】
【００２３】
　以上のように、本発明にかかる電気掃除機は、排気圧損失が少なくかつ本体を大きくすることのない電気掃除機を提供できるので、電気掃除機を小型化する構成に、特に有用である。
【図面の簡単な説明】
【００２４】
【図１】本発明の第１の実施の形態を示した電気掃除機の要部断面図
【図２】同他の電気掃除機の要部断面図
【図３】同他の電気掃除機の要部断面図
【図４】同電気掃除機の要部斜視図
【図５】同電気掃除機の要部拡大図
【図６】従来の電気掃除機の外観斜視図
【図７】同電気掃除機の断面図
【図８】同電気掃除機の要部断面図
【符号の説明】
【００２５】
　１７　モーターブラケット
　２０　Ｄカット部
　２１　排気口
　２２　リブ
　２３　防音板
　２４　サーモプロテクター
【図１】
2004041762.tif 000003
【図２】
2004041762.tif 000004
【図３】
2004041762.tif 000005
【図４】
2004041762.tif 000006
【図５】
2004041762.tif 000007
【図６】
2004041762.tif 000008
【図７】
2004041762.tif 000009
【図８】
2004041762.tif 000010